(57)【特許請求の範囲】
【請求項１】
それぞれに給紙制御部を有する複数の給紙部と、
前記複数の給紙部のうちのいずれかの給紙部を選択する複数の選択信号を出力する選択制御部と
を備え、
前記給紙制御部は、前記複数の選択信号に基づいて前記選択制御部と通信を開始し、
前記複数の選択信号のそれぞれは定常レベルと選択レベルとの間で変化し、
前記複数の選択信号は、複数の選択期間において前記複数の給紙部のいずれかをそれぞれ選択し、非選択期間において前記複数の給紙部のいずれも選択しないように設定されており、
前記複数の選択期間は、前記複数の選択信号のうちの少なくとも２つの選択信号が前記選択レベルとなる特定の選択期間を含み、
前記非選択期間は、
前記複数の選択信号のそれぞれが前記定常レベルを示す第１定常期間と、
前記複数の選択信号のそれぞれが前記定常レベルを示す第２定常期間と、
前記第１定常期間から前記特定の選択期間までの間に、前記少なくとも２つの選択信号のうちの特定の選択信号が前記定常レベルから前記選択レベルに変化する非選択前期間と、
前記特定の選択期間から前記第２定常期間までの間に、前記特定の選択信号が前記選択レベルから前記定常レベルに変化する非選択後期間と
を含む、給紙装置。
【請求項２】
前記選択制御部は、
複数のプレ選択信号を出力する主制御部と、
前記複数のプレ選択信号に基づいて前記複数の選択信号をそれぞれ生成するタイミング調整回路と
を有し、
前記タイミング調整回路は、前記複数のプレ選択信号の各々について、１つの前記プレ選択信号から、前記プレ選択信号毎に異なる時間遅延させて１つの前記選択信号を生成する動作を、前記プレ選択信号毎にそれぞれ実行することによって、前記複数のプレ選択信号から前記複数の選択信号を生成する、請求項１に記載の給紙装置。
【請求項３】
前記選択制御部は電源をさらに有し、
前記主制御部は、第１プレ選択端子と、第２プレ選択端子とを有し、
前記タイミング調整回路は、
前記第１プレ選択端子に接続される第１端子抵抗と、
前記第２プレ選択端子に接続される第２端子抵抗と、
前記電源に接続される第１電源抵抗と、
前記電源に接続される第２電源抵抗と
を有し、
前記第１端子抵抗と前記第１電源抵抗とは接続され、
前記第２端子抵抗と前記第２電源抵抗とは接続され、
前記第１端子抵抗の抵抗値は前記第２端子抵抗の抵抗値と異なり、
前記第１電源抵抗の抵抗値は前記第２電源抵抗の抵抗値と異なる、請求項２に記載の給紙装置。
【請求項４】
前記第１端子抵抗の抵抗値は前記第２端子抵抗の抵抗値よりも大きく、前記第１電源抵抗の抵抗値は前記第２電源抵抗の抵抗値よりも小さい、請求項３に記載の給紙装置。
【請求項５】
請求項１から請求項４のいずれか１項に記載の給紙装置と、
前記給紙装置から給紙されたシートに画像を形成する画像形成部と
を備える、画像形成装置。
【発明の詳細な説明】
【技術分野】
【０００１】
本発明は、給紙装置および画像形成装置に関する。
【背景技術】
【０００２】
一般的に、画像形成装置には複数の給紙部が設けられている。例えば、複数の給紙部には大きさの異なる用紙が予め格納される。特許文献１に記載の画像形成装置（記録装置）は、選択信号によって選択された給紙部（オプションカセット）に駆動信号が供給され選択された給紙部から給紙が行われる。
【先行技術文献】
【特許文献】
【０００３】
【特許文献１】特開２００２−２５５３８２号公報
【発明の概要】
【発明が解決しようとする課題】
【０００４】
しかしながら、特許文献１に記載の画像形成装置では、配線または回路素子のばらつきに起因して選択信号が伝搬する時に遅延してしまい予期しない給紙部が選択される可能性があった。
【０００５】
本発明は上記課題に鑑みてなされたものであり、その目的は給紙部を適切に選択することができる給紙装置および画像形成装置を提供することにある。
【課題を解決するための手段】
【０００６】
本発明に係る給紙装置は、複数の給紙部と、選択制御部とを備える。前記複数の給紙部それぞれは、給紙制御部を有する。前記選択制御部は、前記複数の給紙部のうちのいずれかの給紙部を選択する複数の選択信号を出力する。前記給紙制御部は、前記複数の選択信号に基づいて前記選択制御部と通信を開始する。前記複数の選択信号のそれぞれは定常レベルと選択レベルとの間で変化する。前記複数の選択信号は、複数の選択期間において前記複数の給紙部のいずれかをそれぞれ選択し、非選択期間において前記複数の給紙部のいずれも選択しないように設定されている。前記複数の選択期間は、前記複数の選択信号のうちの少なくとも２つの選択信号が前記選択レベルとなる特定の選択期間を含む。前記非選択期間は、第１定常期間と、第２定常期間と、非選択前期間と、非選択後期間とを含む。前記第１定常期間は、前記複数の選択信号のそれぞれが前記定常レベルを示す。前記第２定常期間は、前記複数の選択信号のそれぞれが前記定常レベルを示す。前記非選択前期間は、前記第１定常期間から前記特定の選択期間までの間に、前記少なくとも２つの選択信号のうちの特定の選択信号が前記定常レベルから前記選択レベルに変化する。前記非選択後期間は、前記特定の選択期間から前記第２定常期間までの間に、前記特定の選択信号が前記選択レベルから前記定常レベルに変化する。
【０００７】
本発明に係る画像形成装置は、上記に記載の給紙装置と、画像形成部とを備える。前記画像形成部は、前記給紙装置から給紙されたシートに画像を形成する。
【発明の効果】
【０００８】
本発明に係る給紙装置は、選択信号が伝搬する際に遅延することによってタイミングがずれた場合であっても、給紙部を適切に選択することができる。
【図面の簡単な説明】
【０００９】
【図１】本発明の実施形態１に係る給紙装置のブロック図である。
【図２】本発明の実施形態１に係る給紙装置のタイミングチャートである。
【図３】本発明の実施形態２に係る給紙装置のブロック図である。
【図４】本発明の実施形態２に係る給紙装置のタイミングチャートである。
【図５】本発明の実施形態３に係る給紙装置の回路図である。
【図６】本発明の実施形態３に係る給紙装置の選択論理を示す表である。
【図７】本発明の実施形態３に係る給紙装置のタイミングチャートである。
【図８】本発明の実施形態４に係る画像形成装置を示す模式図である。
【発明を実施するための形態】
【００１０】
以下、本発明の実施形態について、図面を参照しながら説明する。なお、図中、同一または相当部分については同一の参照符号を付して説明を繰り返さない。
【００１１】
［実施形態１］
図１および図２を参照して本発明に係る給紙装置１００の実施形態１を説明する。図１は、本発明の実施形態１に係る給紙装置１００のブロック図である。図２は、本発明の実施形態１に係る給紙装置１００のタイミングチャートである。
【００１２】
給紙装置１００は、複数の給紙部１１、２１と、選択制御部１とを備える。給紙装置１００は、例えば、画像形成装置に搭載される。給紙装置１００は、給紙部１１、２１に収容されたシートを給紙する。
【００１３】
給紙部１１は、給紙制御部１２を有し、給紙部２１は、給紙制御部２２を有する。本実施形態において給紙部は２段であり、給紙部１１は、１段目に対応し、給紙部２１は２段目に対応する。給紙制御部１２、２２は、給紙動作を制御する。例えば、給紙制御部１２、２２は、選択制御部１によって選択されると、ローラーを回転させて給紙を行う。
【００１４】
選択制御部１は、給紙部１１、２１から給紙を行う１つの給紙部を選択するための複数の選択信号ｓｅｌ０、ｓｅｌ１を出力する。選択信号ｓｅｌ０は、給紙部１１および給紙部２１に入力され、選択信号ｓｅｌ１は、給紙部１１および給紙部２１に入力される。
【００１５】
給紙制御部１２、２２は、複数の選択信号に基づいて選択制御部１と通信を開始する。複数の選択信号は、複数の選択期間において給紙部１１、２１のいずれかをそれぞれ選択し、非選択期間において複数の給紙部１１、２１のいずれも選択しないように設定されている。複数の選択信号のそれぞれは、定常レベルと選択レベルとの間で変化する。本実施形態の給紙装置１００において、複数の選択信号（選択信号ｓｅｌ０、選択信号ｓｅｌ１）のそれぞれについて、定常レベルはいずれもＬＯＷ（０）であり、選択レベルはいずれもＨＩＧＨ（１）である。
【００１６】
本実施形態の給紙装置１００において、給紙部１１は、選択信号ｓｅｌ０がＨＩＧＨ（１）（選択レベル）、かつ、選択信号ｓｅｌ１がＬＯＷ（０）（定常レベル）の場合にアクティブとなり、給紙部１１の給紙制御部１２が選択制御部１と通信を開始するが、それ以外の場合は非アクティブとなる。したがって、選択信号ｓｅｌ０がＨＩＧＨ（１）となり、選択信号ｓｅｌ１がＬＯＷ（０）となる期間は選択期間となる。
【００１７】
また、給紙部２１は、選択信号ｓｅｌ０および選択信号ｓｅｌ１がいずれもＨＩＧＨ（１）の場合にアクティブとなり、給紙部２１の給紙制御部２２が選択制御部１と通信を開始するが、それ以外の場合は非アクティブとなる。したがって、選択信号ｓｅｌ０、ｓｅｌ１がいずれもＨＩＧＨ（１）となる期間は選択期間となる。
【００１８】
以上のように、給紙装置１００では、選択信号ｓｅｌ０がＨＩＧＨ（１）となり、選択信号ｓｅｌ１がＬＯＷ（０）となる期間および選択信号ｓｅｌ０、ｓｅｌ１がいずれもＨＩＧＨ（１）となる期間が選択期間であり、それ以外の期間は非選択期間となる。
【００１９】
次に、選択制御部１による給紙部１１、２１の選択動作について説明する。ここでは、まず、給紙部１１を選択し、次に、給紙部２１を選択する。
【００２０】
最初に、給紙部１１の選択について説明する。時刻ｔ１までの期間Ｄ１において、選択制御部１から出力される選択信号ｓｅｌ０および選択信号ｓｅｌ１はいずれもＬＯＷ（定常レベル）を示す。期間Ｄ１において、選択信号ｓｅｌ０がＬＯＷ、選択信号ｓｅｌ１がＬＯＷであり、給紙部１１、２１のいずれも選択されない。このため、期間Ｄ１は非選択期間となる。
【００２１】
時刻ｔ１から時刻ｔ２までの期間Ｓ１において、選択信号ｓｅｌ１がＬＯＷのまま、選択信号ｓｅｌ０がＬＯＷからＨＩＧＨに変化することにより、第１段目の給紙部１１が選択され、期間Ｓ１は選択期間となる。期間Ｓ１では、給紙部１１の給紙制御部１２が選択制御部１と通信を開始する。
【００２２】
時刻ｔ２から時刻ｔ３までの期間Ｄ２において、選択信号ｓｅｌ１がＬＯＷのまま選択信号ｓｅｌ０がＨＩＧＨからＬＯＷに変化する。このとき、給紙部１１、２１のいずれも選択されない。このため、期間Ｄ２は非選択期間となる。以上のようにして給紙部１１の選択が行われる。
【００２３】
次に、給紙部２１の選択について説明する。時刻ｔ３から時刻ｔ４までの期間Ｄ３において、選択信号ｓｅｌ０がＬＯＷのまま選択信号ｓｅｌ１がＬＯＷからＨＩＧＨに変化する。このとき、給紙部１１、２１のいずれも選択されず、期間Ｄ３は非選択期間となる。
【００２４】
時刻ｔ４から時刻ｔ５までの期間Ｓ２において、選択信号ｓｅｌ１がＨＩＧＨのまま選択信号ｓｅｌ０がＬＯＷからＨＩＧＨに変化することにより、第２段目の給紙部２１が選択される。このため、期間Ｓ２は選択期間となる。期間Ｓ２において、給紙部２１の給紙制御部２２が選択制御部１と通信を開始する。
【００２５】
時刻ｔ５から時刻ｔ６までの期間Ｄ４において、選択信号ｓｅｌ１がＨＩＧＨのまま選択信号ｓｅｌ０がＨＩＧＨからＬＯＷに変化する。このとき、給紙部１１、２１のいずれも選択されず、期間Ｄ４は非選択期間となる。
【００２６】
時刻ｔ６以降の期間Ｄ５において、選択信号ｓｅｌ０がＬＯＷのまま選択信号ｓｅｌ１がＨＩＧＨからＬＯＷに変化する。このとき、給紙部１１、２１のいずれも選択されず、期間Ｄ５は非選択期間となる。
【００２７】
ここで、給紙部２１を選択する期間Ｓ２、および、期間Ｓ２の前後に位置する期間Ｄ３、Ｄ４に着目する。期間Ｄ３において、選択信号ｓｅｌ０が時刻ｔ４でＨＩＧＨになる前の時刻ｔ３に、選択信号ｓｅｌ１はＨＩＧＨになる。このとき、給紙部１１、２１のいずれも選択されない。
【００２８】
次に、時刻ｔ４において選択信号ｓｅｌ０がＬＯＷからＨＩＧＨに変化する。選択信号ｓｅｌ０がＨＩＧＨ、選択信号ｓｅｌ１がＨＩＧＨとなることによって第２段目の給紙部２１が選択される。そして、給紙部２１の給紙制御部２２が選択制御部１と通信を開始する。
【００２９】
時刻ｔ５において、選択信号ｓｅｌ０がＨＩＧＨからＬＯＷに変化して選択期間から非選択期間に移行する。その後、時刻ｔ６において、選択信号ｓｅｌ１はＨＩＧＨからＬＯＷに変化する。以上のようにして給紙部２１の選択が行われる。
【００３０】
このように、選択制御部１は、選択信号ｓｅｌ０と選択信号ｓｅｌ１とを共にＬＯＷ（定常レベル）からＨＩＧＨ（選択レベル）に変化させる際、選択信号ｓｅｌ０をＨＩＧＨに変化させる前に非選択状態を維持したまま選択信号ｓｅｌ１をＨＩＧＨに変化させることにより、期間Ｄ２と期間Ｓ２との間の期間Ｄ３を選択信号ｓｅｌ１がＬＯＷからＨＩＧＨに変化する非選択前期間としている。選択制御部１は、選択信号ｓｅｌ０と選択信号ｓｅｌ１とを共にＨＩＧＨ（選択レベル）からＬＯＷ（定常レベル）に変化させる際、選択信号ｓｅｌ１をＬＯＷに変化させる前に、予め非選択状態となるように選択信号ｓｅｌ０をＬＯＷに変化させている。これにより期間Ｓ２と期間Ｄ５との間の期間Ｄ４を選択信号ｓｅｌ１がＨＩＧＨからＬＯＷに変化する非選択後期間としている。
【００３１】
図２では、選択信号ｓｅｌ０、ｓｅｌ１の理想的なタイミングチャートを示しているが、実際には、選択信号ｓｅｌ０、ｓｅｌ１のＬＯＷ、ＨＩＧＨの変化が遅延してしまうことがある。しかしながら本実施形態の給紙装置１００によれば、仮に、時刻ｔ３における選択信号ｓｅｌ１のＬＯＷからＨＩＧＨへの変化が多少遅延したとしても、選択信号ｓｅｌ１のＬＯＷからＨＩＧＨへの変化は、時刻ｔ４における選択信号ｓｅｌ０のＬＯＷからＨＩＧＨへの変化よりも早く完了するため、期間Ｓ２において給紙部１１が誤って選択されることを抑制できる。
【００３２】
また、本実施形態の給紙装置１００によれば、仮に、時刻ｔ５における選択信号ｓｅｌ０のＨＩＧＨからＬＯＷへの変化が多少遅延したとしても、選択信号ｓｅｌ０のＨＩＧＨからＬＯＷへの変化は、時刻ｔ６における選択信号ｓｅｌ０のＨＩＧＨからＬＯＷへの変化よりも早く完了するため、期間Ｄ４において給紙部１１が誤って選択されることを抑制できる。
【００３３】
以上、図１および図２を参照して説明したように、給紙装置１００において、選択信号ｓｅｌ０と選択信号ｓｅｌ１とを共に定常レベルから選択レベルに変化させる際、選択信号ｓｅｌ１は、選択信号ｓｅｌ０が定常レベルから選択レベルに変化する前に定常レベルから選択レベルに変化し、選択信号ｓｅｌ０が選択レベルから定常レベルに変化した後に選択レベルから定常レベルに変化する。したがって、選択信号ｓｅｌ０と選択信号ｓｅｌ１とが伝搬する際に遅延することによってタイミングがずれた場合であっても、給紙部を適切に選択することができる。
【００３４】
［実施形態２］
図３および図４を参照して、本発明の実施形態２に係る給紙装置１００について説明する。図３は、本発明の実施形態２に係る給紙装置１００のブロック図である。図４は、本発明の実施形態２に係る給紙装置１００のタイミングチャートである。選択制御部１が主制御部２とタイミング調整回路３とを有する点を除いて、本発明の実施形態２に係る給紙装置１００は実施形態１に係る給紙装置１００と同様な構成を有するため、重複部分については説明を省略する。
【００３５】
選択制御部１は、主制御部２とタイミング調整回路３とを有する。主制御部２は、複数のプレ選択信号（プレ選択信号ｐｓｅｌ０およびプレ選択信号ｐｓｅｌ１）を出力する。
【００３６】
タイミング調整回路３は、複数のプレ選択信号に基づいて複数の選択信号をそれぞれ生成する。本実施形態では、プレ選択信号ｐｓｅｌ０に基づいて選択信号ｓｅｌ０を生成し、プレ選択信号ｐｓｅｌ１に基づいて選択信号ｓｅｌ１を生成する。具体的には、タイミング調整回路３によってプレ選択信号ｐｓｅ０は所定の時間遅延され、選択信号ｓｅｌ０が生成される。また、タイミング調整回路３によってプレ選択信号ｐｓｅｌ１は所定の時間遅延され、選択信号ｓｅｌ１が生成される。
【００３７】
また、タイミング調整回路３は、複数のプレ選択信号を異なる時間遅延させることによって複数のプレ選択信号から複数の選択信号を生成する。具体的には、プレ選択信号ｐｓｅｌ０およびプレ選択信号ｐｓｅｌ１は共に時刻ｔ５にＬＯＷからＨＩＧＨに変化する。プレ選択信号ｐｓｅｌ１は時刻ｔ５から時刻ｔ６の期間にわたって第２遅延時間ｄ２遅延させられることによって、選択信号ｓｅｌ１は時刻ｔ６でＬＯＷからＨＩＧＨに変化する。また、プレ選択信号ｐｓｅｌ０は時刻ｔ５から時刻ｔ７の期間にわたって第１遅延時間ｄ１遅延させられることによって、選択信号ｓｅｌ１は時刻ｔ７でＬＯＷからＨＩＧＨに変化する。プレ選択信号ｐｓｅｌ１に対する選択信号ｓｅｌ１の遅延時間を示す第２遅延時間ｄ２は、プレ選択信号ｐｓｅｌ０に対する選択信号ｓｅｌ０の遅延時間を示す第１遅延時間ｄ１よりも短い。したがって、選択信号ｓｅｌ１は、選択信号ｓｅｌ０が選択レベル（ＨＩＧＨ）になる前に選択レベルになる。すなわち、選択信号ｓｅｌ１は、選択信号ｓｅｌ０よりも先に立ち上がる。
【００３８】
一方、プレ選択信号ｐｓｅｌ０およびプレ選択信号ｐｓｅｌ１は共に時刻ｔ８にＨＩＧＨからＬＯＷに変化する。プレ選択信号ｐｓｅｌ０は時刻ｔ８から時刻ｔ９の期間にわたって第１遅延時間ｄ３遅延させられることによって、選択信号ｓｅｌ０は時刻ｔ９でＨＩＧＨからＬＯＷに変化する。また、プレ選択信号ｐｓｅｌ１は時刻ｔ８から時刻ｔ１０の期間にわたって第２遅延時間ｄ４遅延させられることによって、選択信号ｓｅｌ１は時刻ｔ１０でＨＩＧＨからＬＯＷに変化する。プレ選択信号ｐｓｅｌ０に対する選択信号ｓｅｌ０の遅延時間を示す第１遅延時間ｄ３は、プレ選択信号ｐｓｅｌ１に対する選択信号ｓｅｌ１の遅延時間を示す第２遅延時間ｄ４よりも短い。したがって、選択信号ｓｅｌ１は、選択信号ｓｅｌ０が定常レベル（ＬＯＷ）に変化した後に定常レベルに変化する。すなわち、選択信号ｓｅｌ１は、選択信号ｓｅｌ０よりも後に立ち下がる。
【００３９】
以上、図３および図４を参照して説明したように、給紙装置１００において、タイミング調整回路３は、複数のプレ選択信号（ｐｓｅｌ０およびｐｓｅｌ１）を異なる時間遅延させることによって複数のプレ選択信号ｐｓｅｌ０、ｐｓｅｌ１から複数の選択信号ｓｅｌ０、ｓｅｌ１を生成する。したがって、複数の選択信号が伝搬する際に遅延によってタイミングがずれた場合であっても、複数の選択信号の変化のタイミングを意図的にずらすことによって、給紙部１１、２１を適切に選択することができる。なお、上述の説明では給紙装置１００は２つの給紙部１１、２１を備えていたが、給紙装置１００が備える給紙部は３つ以上あってもよい。
【００４０】
［実施形態３］
図５〜図７を参照して、本発明の実施形態３に係る給紙装置１００について説明する。図５は、本発明の実施形態３に係る給紙装置１００の回路図である。図６は、本発明の実施形態３に係る給紙装置１００の選択論理を示す表である。図７は、本発明の実施形態３に係る給紙装置１００のタイミングチャートである。実施形態１および実施形態２との重複部分については説明を省略する。
【００４１】
給紙装置１００は、複数の給紙部（給紙部１１、給紙部２１および給紙部３１）と、選択制御部１とを備える。本実施形態において給紙部は３段であり、給紙部１１は１段目に対応し、給紙部２１は２段目に対応し、給紙部３１は３段目に対応する。
【００４２】
選択制御部１は、電源Ｖをさらに有する。主制御部２は、プレ選択信号ｐｓｅｌ０を出力する第１プレ選択端子ＰＳＥＬ０と、プレ選択信号ｐｓｅｌ１を出力する第２プレ選択端子ＰＳＥＬ１と、プレ選択信号ｐｓｅｌ２を出力する第３プレ選択端子ＰＳＥＬ２とを有する。
【００４３】
タイミング調整回路３は、第１端子抵抗Ｒ１、第２端子抵抗Ｒ２、第３端子抵抗Ｒ３、第１電源抵抗Ｒ４、第２電源抵抗Ｒ５、第３電源抵抗Ｒ６、コンデンサＣ１〜Ｃ３、バッファーＢ１〜Ｂ３および抵抗Ｒ７〜Ｒ９を有する。主制御部２の第１プレ選択端子ＰＳＥＬ０と選択制御部１の出力端子ＳＥＬ０との間には、第１端子抵抗Ｒ１、バッファーＢ１および抵抗Ｒ７が直列に接続されている。同様に、主制御部２の第２プレ選択端子ＰＳＥＬ１と選択制御部１の出力端子ＳＥＬ１との間には、第２端子抵抗Ｒ２、バッファーＢ２および抵抗Ｒ８が直列に接続されており、主制御部２の第３プレ選択端子ＰＳＥＬ２と選択制御部１の出力端子ＳＥＬ２との間には、第３端子抵抗Ｒ３、バッファーＢ３および抵抗Ｒ９が直列に接続されている。
【００４４】
また、第１端子抵抗Ｒ１と第１電源抵抗Ｒ４とは接続されており、第２端子抵抗Ｒ２と第２電源抵抗Ｒ５とは接続されており、第３端子抵抗Ｒ３と第３電源抵抗Ｒ６とは接続されている。第１端子抵抗Ｒ１とバッファーＢ１とを結ぶ配線には第１電源抵抗Ｒ４を介して電源Ｖが接続されており、第２端子抵抗Ｒ２とバッファーＢ２とを結ぶ配線には第２電源抵抗Ｒ５を介して電源Ｖが接続されており、第３端子抵抗Ｒ３とバッファーＢ３とを結ぶ配線には第３電源抵抗Ｒ６を介して電源Ｖが接続されている。また、第１端子抵抗Ｒ１とバッファーＢ１を結ぶ配線にはコンデンサＣ１を介してグランドＧに接続されており、第２端子抵抗Ｒ２とバッファーＢ２とを結ぶ配線にはコンデンサＣ２を介してグランドＧに接続されており、第３端子抵抗Ｒ３とバッファーＢ３とを結ぶ配線にはコンデンサＣ３を介してグランドＧに接続されている。例えば、コンデンサＣ１〜Ｃ３は１０００ｐＦであり、抵抗Ｒ７〜Ｒ９は０．１ｋΩである。
【００４５】
第１端子抵抗Ｒ１の抵抗値と第２端子抵抗Ｒ２の抵抗値と第３端子抵抗Ｒ３の抵抗値とは互いに異なる。第１端子抵抗Ｒ１、第２端子抵抗Ｒ２および第３端子抵抗Ｒ３は、プレ選択信号ｐｓｅｌ０〜ｐｓｅｌ２に対する選択信号ｓｅｌ０〜ｓｅｌ２の立ち下がりの遅延時間に関係する。本実施形態では第１端子抵抗Ｒ１、第２端子抵抗Ｒ２、第３端子抵抗Ｒ３の順に抵抗値は大きくなる。
【００４６】
例えば、第１端子抵抗Ｒ１は、０．１ｋΩであり、第２端子抵抗Ｒ２は０．２ｋΩであり、第３端子抵抗Ｒ３は０．３ｋΩである。選択信号の立ち下がり時定数は、選択信号ｓｅｌ０が０．１μｓ、選択信号ｓｅｌ１が０．２μｓ、選択信号ｓｅｌ２が０．３μｓとなる。したがって、プレ選択信号ｐｓｅｌ０、ｐｓｅｌ１、ｐｓｅｌ２の立ち下がり時刻が同じ場合、選択信号ｓｅｌ０、選択信号ｓｅｌ１、選択信号ｓｅｌ２の順に立ち下がり時刻は遅くなる。
【００４７】
第１電源抵抗Ｒ４の抵抗値と第２電源抵抗Ｒ５の抵抗値と第３電源抵抗Ｒ６の抵抗値とは互いに異なる。第１端子抵抗Ｒ１、第２端子抵抗Ｒ２および第３端子抵抗Ｒ３は、プレ選択信号ｐｓｅｌ０〜ｐｓｅｌ２に対する選択信号ｓｅｌ０〜ｓｅｌ２の立ち上がりの遅延時間に関係する。本実施形態では第１電源抵抗Ｒ４、第２電源抵抗Ｒ５、第３電源抵抗Ｒ６の順に抵抗値は小さくなる。
【００４８】
例えば、第１電源抵抗Ｒ４は１．２ｋΩであり、第２電源抵抗Ｒ５は１．１ｋΩであり、第３電源抵抗Ｒ６は１ｋΩである。選択信号の立ち上がり時定数は、選択信号ｓｅｌ０が１．２μｓ、選択信号ｓｅｌ１が１．１μｓ、選択信号ｓｅｌ２が１．０μｓとなる。したがって、プレ選択信号ｐｓｅｌ０、ｐｓｅｌ１、ｐｓｅｌ２の立ち上がり時刻が同じ場合、選択信号ｓｅｌ０、選択信号ｓｅｌ１、選択信号ｓｅｌ２の順に立ち上がり時刻は早くなる。
【００４９】
給紙部１１は、給紙制御部１２、抵抗Ｒ１１〜Ｒ１３、コンデンサＣ１１〜Ｃ１３、バッファーＢ１１〜Ｂ１３および抵抗Ｒ１４〜Ｒ１９を備える。給紙部１１は、入力端子ＳＥＬ０、ＳＥＬ１およびＳＥＬ２を有する。給紙部１１の入力端子ＳＥＬ０と給紙制御部１２の入力端子ＳＥＬ０ａとの間には、抵抗Ｒ１６、バッファーＢ１３および抵抗Ｒ１３が直列に接続されている。同様に、給紙部１１の入力端子ＳＥＬ１と給紙制御部１２の入力端子ＳＥＬ１ａとの間には、抵抗Ｒ１５、バッファーＢ１２および抵抗Ｒ１２が直列に接続されており、給紙部１１の入力端子ＳＥＬ２と給紙制御部１２の入力端子ＳＥＬ２ａとの間には、抵抗Ｒ１４、バッファーＢ１１および抵抗Ｒ１１が直列に接続されている。抵抗Ｒ１６とバッファーＢ１３とを結ぶ配線は抵抗Ｒ１９を介してグランドＧと接続されており、抵抗Ｒ１５とバッファーＢ１２とを結ぶ配線は抵抗Ｒ１８を介してグランドＧと接続されており、抵抗Ｒ１４とバッファーＢ１１とを結ぶ配線は抵抗Ｒ１７を介してグランドＧと接続されている。
【００５０】
また、抵抗Ｒ１６とバッファーＢ１３とを結ぶ配線はコンデンサＣ１３を介してグランドＧと接続されており、抵抗Ｒ１５とバッファーＢ１２とを結ぶ配線はコンデンサＣ１２を介してグランドＧと接続されており、抵抗Ｒ１４とバッファーＢ１１とを結ぶ配線にはコンデンサＣ１１を介してグランドＧと接続されている。入力端子ＳＥＬ０には、インバーターＩＮＶ１が接続されており、入力端子ＳＥＬ０から入力された信号を反転して出力する。
【００５１】
抵抗Ｒ１１〜Ｒ１３は互いに等しくて、抵抗Ｒ１４〜Ｒ１９は互いに等しい。例えば、抵抗Ｒ１１〜Ｒ１３は、１ｋΩであり、抵抗Ｒ１４〜Ｒ１９は、０．１ｋΩである。また、コンデンサＣ１１〜Ｃ１３は互いに等しい。例えば、コンデンサＣ１１〜Ｃ１３は１０００ｐＦである。
【００５２】
給紙部２１および給紙部３１は、給紙部１１と同様の構成を有してるため重複部分については説明を省略する。給紙部２１の入力端子ＳＥＬ０〜ＳＥＬ２には、給紙部１１に入力された選択信号ｓｅｌ０、選択信号ｓｅｌ１および選択信号ｓｅｌ２とは順番が１つずつずれた信号が入力される。また、入力端子ＳＥＬ２には、反転した信号が入力される、具体的には、給紙部１１では、入力端子ＳＥＬ０、ＳＥＬ１およびＳＥＬ２には、それぞれ選択信号ｓｅｌ０、選択信号ｓｅｌ１および選択信号ｓｅｌ２が入力されていたが、給紙部２１では、入力端子ＳＥＬ０、ＳＥＬ１およびＳＥＬ２には、それぞれ選択信号ｓｅｌ１、選択信号ｓｅｌ２および選択信号ｓｅｌ０の反転された信号ｓｅｌ０＿ｉｎｖが入力される。同様に、給紙部３１では、入力端子ＳＥＬ０、ＳＥＬ１およびＳＥＬ２には、それぞれ選択信号ｓｅｌ２、選択信号ｓｅｌ０の反転された信号ｓｅｌ０＿ｉｎｖおよび選択信号ｓｅｌ１の反転された信号ｓｅｌ１＿ｉｎｖが入力される。このように順番を１つずつずらして反転した信号を入力することにより、給紙部が搭載される段数に影響されず適切に給紙部の選択がなされる。
【００５３】
図６を参照して、給紙部１１、２１、３１の選択論理について説明する。給紙制御部１２、２２、３２はいずれも同様に設計されており、コード「１００」を受信した場合に選択されたと認識してアクティブとなり選択制御部１との通信を開始する。コードは左から順に入力端子ＳＥＬ０、ＳＥＬ１、ＳＥＬ２に対応する。選択制御部１がコード「１００」を出力した場合、１段目の給紙部１１の給紙制御部１２にはコード「１００」が入力され１段目の給紙部１１が選択される。１段目の給紙部１１が選択された際、２段目の給紙部２１の給紙制御部２２にはコード「０００」が入力され、３段目の給紙部３１の給紙制御部３２にはコード「００１」が入力されるため２段目の給紙部２１および３段目の給紙部３１は選択されない。同様に、選択制御部１がコード「１１０」を出力した場合、２段目の給紙部２１が選択され、選択制御部１がコード「１１１」を出力した場合、３段目の給紙部３１が選択される。選択制御部１がコード「１１１」、「１１０」および「１００」以外のコードを出力した場合、給紙部１１、２１、３１のいずれも選択されない。
【００５４】
図７を参照して、給紙部１１、２１、３１の選択動作について説明する。時刻ｔ１から時刻ｔ２までの期間Ｔ１において、選択制御部１がコード「１００」を出力することによって、１段目の給紙部１１の給紙制御部１２にはコード「１００」が入力されるため、１段目の給紙部１１が選択される。
【００５５】
時刻ｔ４から時刻ｔ５までの期間Ｔ２において、選択制御部１がコード「１１０」を出力することによって、２段目の給紙部２１の給紙制御部２２にはコード「１００」が入力されるため、２段目の給紙部２１が選択される。期間Ｔ２の前の時刻ｔ３から時刻ｔ４の期間は、給紙部１１、２１、３１のいずれにもコード「１００」が入力されないため給紙部１１、２１、３１のいずれも選択されない。また、期間Ｔ２の後の時刻ｔ５から時刻ｔ６の期間は、給紙部１１、２１、３１のいずれにもコード「１００」が入力されないため給紙部１１、２１、３１のいずれも選択されない。このように２段目の給紙部２１が選択される前後に、給紙部１１、２１、３１のいずれも選択されないように選択信号ｓｅｌ０、ｓｅｌ１、ｓｅｌ２は変化する。
【００５６】
また、時刻ｔ９から時刻ｔ１０までの期間Ｔ３において、選択制御部１がコード「１１１」を出力することによって、３段目の給紙部３１の給紙制御部３２にはコード「１００」が入力されるため、３段目の給紙部３１が選択される。期間Ｔ３の前の時刻ｔ７から時刻ｔ８および時刻ｔ８から時刻ｔ９の期間は、給紙部１１、２１、３１のいずれにもコード「１００」が入力されないため給紙部１１、２１、３１のいずれも選択されない。また、期間Ｔ３の後の時刻ｔ１０から時刻ｔ１１および時刻ｔ１１から時刻ｔ１２の期間は、給紙部１１、２１、３１のいずれにもコード「１００」が入力されないため給紙部１１、２１、３１のいずれも選択されない。このように３段目の給紙部３１が選択される前後に、給紙部１１、２１、３１のいずれも選択されないように選択信号ｓｅｌ０、ｓｅｌ１、ｓｅｌ２は変化する。
【００５７】
以上、図５〜図７を参照して説明したように、タイミング調整回路３において、第１端子抵抗Ｒ１の抵抗値と第２端子抵抗Ｒ２の抵抗値とは異なり、第１電源抵抗Ｒ４の抵抗値と第２電源抵抗Ｒ５の抵抗値とは異なる。したがって、選択信号が伝搬する際に遅延によってタイミングがずれた場合であっても、選択信号ｓｅｌ０と選択信号ｓｅｌ１との変化タイミングを意図的に変更することによって、給紙部を適切に選択することができる。
【００５８】
また、第１端子抵抗Ｒ１の抵抗値は第２端子抵抗Ｒ２の抵抗値よりも大きく、第１電源抵抗Ｒ４の抵抗値は第２電源抵抗Ｒ５の抵抗値よりも小さい。したがって、選択信号ｓｅｌ１は、選択信号ｓｅｌ０が選択レベル（ＨＩＧＨ）になる前に選択レベルになり、選択信号ｓｅｌ０が定常レベル（ＬＯＷ）になった後に定常レベルになる。
【００５９】
［実施形態４］
図８は、本発明の実施形態４に係る画像形成装置２００を示す模式図である。画像形成装置２００は、複写機、プリンター、ファクシミリまたはこれらの機能を兼ね備えた複合機であり得る。以下、画像形成装置２００として複写機を例に本発明を説明するが、本発明はこれに限定されない。画像形成装置２００は、給紙装置１００と画像読取部１１０と画像形成部９０とを備える。画像形成部９０は、定着装置１１５、作像部１３０、トナー補給装置１４０、用紙排出部１５０および用紙搬送部１６０を有している。画像形成部９０は、画像読取部１１０によって読み取られた画像データに基づいて給紙装置１００から給紙された用紙に画像を形成する。
【００６０】
給紙部１１、給紙部２１および給紙部３１には、印刷用の用紙Ｐが収容されている。複写を行う際、ユーザーが操作部を用いて選択した用紙サイズ等に基づいて、給紙部１１、給紙部２１および給紙部３１の１つが選択され、選択された給紙部内の用紙Ｐは、作像部１３０と定着装置１１５とを経由して用紙排出部１５０から排出されるように、用紙搬送部１６０によって搬送される。
【００６１】
作像部１３０では、トナー像を用紙Ｐに形成する。作像部１３０には、感光体１３１と現像装置１３２と転写装置１３３とが含まれている。
【００６２】
感光体１３１には、画像読取部１１０で生成された原稿画像の電子信号に基づいたレーザーによって静電潜像が形成される。現像装置１３２は現像ローラー１２１を有している。現像ローラー１２１は、感光体１３１にトナーを供給して静電潜像を現像させることで、感光体１３１にトナー像を形成する。トナーは、トナー補給装置１４０から現像装置１３２へ補給される。
【００６３】
転写装置１３３は、感光体１３１に形成されたトナー像を用紙Ｐに転写する。
【００６４】
定着装置１１５によって用紙Ｐを加熱および加圧することで、作像部１３０において形成された未定着のトナーを溶融させて用紙Ｐに定着させる。
【００６５】
以上、図面（図１〜図８）を参照しながら本発明の実施形態を説明した。但し、本発明は、上記の実施形態に限られるものではなく、その要旨を逸脱しない範囲で種々の態様において実施することが可能である（例えば、下記に示す（１）〜（２））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００６６】
（１）実施形態１〜２に係る給紙装置１０では給紙部は２つ、実施形態３に係る給紙装置１０では給紙部は３つ設けられたがこれに限定されない。例えば、給紙部は４つ以上設けられてもよい。
【００６７】
（２）実施形態１〜３に係る給紙装置１０では定常レベルがＬＯＷ、選択レベルがＨＩＧＨであったが、これに限定されない。例えば、定常レベルがＨＩＧＨ、選択レベルがＬＯＷになるように構成してもよい。
【産業上の利用可能性】
【００６８】
本発明は、画像形成装置の分野に利用可能である。
【符号の説明】
【００６９】
１          選択制御部
２          主制御部
３          タイミング調整回路
１１        給紙部
１２        給紙制御部
２１        給紙部
２２        給紙制御部
３１        給紙部
３２        給紙制御部
１００      給紙装置
２００      画像形成装置
ｓｅｌ０、ｓｅｌ１、ｓｅｌ２        選択信号
ｐｓｅｌ０、ｐｓｅｌ１、ｐｓｅｌ２  プレ選択信号
Ｒ１        第１端子抵抗
Ｒ２        第２端子抵抗
Ｒ３        第３端子抵抗
Ｒ４        第１電源抵抗
Ｒ５        第２電源抵抗
Ｒ６        第３電源抵抗
ｄ１、ｄ３  第１遅延時間
ｄ２、ｄ４  第２遅延時間
【図１】
0005990227.tif 000002
【図２】
0005990227.tif 000003
【図３】
0005990227.tif 000004
【図４】
0005990227.tif 000005
【図５】
0005990227.tif 000006
【図６】
0005990227.tif 000007
【図７】
0005990227.tif 000008
【図８】
0005990227.tif 000009